(57)【要約】【課題】端末間でネットワークを介した通信を行わずにコンテンツの購買を促進する方法、プログラム及びアフィリエイトシステムを提供する。【解決手段】楽曲の再生が可能な楽曲購入端末５によって楽曲の購買を促進する方法であって、楽曲を出力する音楽プレーヤ８０を識別するプレーヤＩＤ８１と楽曲情報とを含んだアフィリエイト用の楽曲の音声を受け付ける音声受付ステップと、受け付けた音声からプレーヤＩＤ８１と楽曲情報とを分離して取得する分離取得ステップと、取得した楽曲情報を用いて対応する楽曲に関する出力を行う出力ステップと、出力に基づき楽曲購入端末５のユーザによる楽曲の購入依頼を受け付ける購入依頼受付ステップと、購入依頼を受け付けたことに応じて楽曲データを取得する楽曲取得ステップと、楽曲データを取得したことに応じてプレーヤＩＤ８１のユーザに対して報酬を付与する報酬付与ステップと、を含む。【選択図】図２
2010250490.tif 000002
【特許請求の範囲】
【請求項１】
コンテンツの再生が可能な端末のコンピュータによって、コンテンツの購買を促進する方法であって、
コンテンツを出力するプレーヤを識別するプレーヤ識別情報と前記コンテンツに関連するコンテンツ情報とを含んだ情報入りコンテンツの音声を受け付ける音声受付ステップと、
前記音声受付ステップにて受け付けた前記音声から、前記プレーヤ識別情報と前記コンテンツ情報とを分離して取得する分離取得ステップと、
前記分離取得ステップにて取得した前記コンテンツ情報を用いて対応するコンテンツに関する出力を行う出力ステップと、
前記出力ステップによる前記コンテンツに関する出力に基づき、前記端末のユーザによる前記コンテンツの購入依頼を受け付ける購入依頼受付ステップと、
前記購入依頼受付ステップにて前記購入依頼を受け付けたことに応じて、前記コンテンツのデータを取得するコンテンツ取得ステップと、
前記コンテンツ取得ステップにて前記コンテンツのデータを取得したことに応じて、前記分離取得ステップにて取得した前記プレーヤ識別情報で示される前記プレーヤのユーザに対して報酬を付与する報酬付与ステップと、
を含む方法。
【請求項２】
前記コンテンツのデータが格納されたサーバに前記コンテンツの購入依頼要求を送信する購入要求送信ステップを含み、
前記コンテンツ取得ステップは、前記サーバからダウンロードされた前記コンテンツのデータを取得する、
請求項１に記載の方法。
【請求項３】
前記コンテンツ情報は、前記サーバの宛先情報を含む、
請求項２に記載の方法。
【請求項４】
コンピュータを、
コンテンツを出力するプレーヤを識別するプレーヤ識別情報と前記コンテンツに関連するコンテンツ情報とを含んだ情報入りコンテンツの音声を、マイクを介して受け付ける音声受付手段と、
前記音声受付手段によって受け付けた前記音声から、前記プレーヤ識別情報と前記コンテンツ情報とを分離して取得する分離取得手段と、
前記分離取得手段によって取得した前記コンテンツ情報を用いて対応するコンテンツに関する表示を表示部に行う表示制御手段と、
前記表示部の表示に対応して操作部から前記コンテンツの購入操作を受け付けて、前記コンテンツの購入依頼要求を送信する購入要求送信手段と、
前記購入依頼要求に基づく前記コンテンツのデータをダウンロードするコンテンツ取得手段と、
前記コンテンツ取得手段により前記コンテンツのデータがダウンロードされたことに応じて、報酬付与情報として前記プレーヤ識別情報を送信するプレーヤ識別情報送信手段と、
として機能させるためのプログラム。
【請求項５】
アフィリエイト端末と、コンテンツ購入端末とがサーバに対してネットワークを介して接続されたアフィリエイトシステムにおいて、
前記アフィリエイト端末は、前記アフィリエイト端末のプレーヤを識別するプレーヤ識別情報とコンテンツに関連するコンテンツ情報とを含んだ情報入りコンテンツを前記プレーヤを用いて再生するコンテンツ再生手段を備え、
前記コンテンツ購入端末は、
前記コンテンツ再生手段により再生されることで出力された前記情報入りコンテンツの音声を集音するマイク手段と、
前記マイク手段により集音した前記音声から前記プレーヤ識別情報と前記コンテンツ情報とを分離して取得する分離取得手段と、
前記分離取得手段により取得した前記コンテンツ情報を用いて対応するコンテンツのデータを格納する前記サーバの宛先情報を表示する表示手段と、
前記表示手段により表示された前記宛先情報を、操作手段を介して指定することで、前記サーバとの間で通信を行い、前記コンテンツの購入依頼要求を送信する購入要求送信手段と、
前記サーバから前記購入依頼要求に基づく前記コンテンツのデータをダウンロードするコンテンツ取得手段と、
前記コンテンツ取得手段により前記コンテンツのデータがダウンロードされたことに応じて、前記コンテンツに対応する前記プレーヤ識別情報を前記サーバに送信するプレーヤ識別情報送信手段と、
を備え、
前記サーバは、
複数のコンテンツのデータを記憶するコンテンツ記憶手段と、
前記プレーヤ識別情報ごとに報酬額を対応付けて記憶するアフィリエイト記憶手段と、
前記コンテンツ購入端末から前記購入依頼要求を受信する購入要求受信手段と、
前記購入依頼要求に基づいて対応する前記コンテンツのデータを前記コンテンツ記憶手段から抽出して前記コンテンツ購入端末にダウンロードするコンテンツ配信手段と、
前記コンテンツ購入端末から前記プレーヤ識別情報を受信したことに応じて、前記アフィリエイト記憶手段の前記プレーヤ識別情報に対応する前記報酬額に課金することで、前記プレーヤ識別情報で示される前記プレーヤのユーザに対して報酬を付与する報酬付与手段と、
を備えること、
を特徴とするアフィリエイトシステム。
【発明の詳細な説明】
【技術分野】
【０００１】
本発明は、コンテンツの購買を促進する方法、コンテンツの再生が可能な端末で実行されるプログラム及びアフィリエイトシステムに関する。
【背景技術】
【０００２】
従来、著作権を考慮して、アフィリエイトにより音楽を販売するコンテンツ送受方法が知られている。例えば、第１ユーザ端末は、第２ユーザ端末に対してコンテンツ購入情報と試用コンテンツデータとを送信する。そして、第２ユーザ端末で試用コンテンツを再生し、第２ユーザ端末は、コンテンツ配信用のサーバに対して通信して、そのコンテンツを購入する。コンテンツが購入されたことで、第１ユーザ端末のユーザにアフィリエイトを付与する（例えば、特許文献１）。
【先行技術文献】
【特許文献】
【０００３】
【特許文献１】特開２００６−３０１９１１号公報
【発明の概要】
【発明が解決しようとする課題】
【０００４】
しかし、特許文献１に記載のコンテンツ送受方法は、第１ユーザ端末から第２ユーザ端末に対してネットワークを介してデータ送信を行う必要があった。
【０００５】
本発明は、端末間でネットワークを介した通信を行わずにコンテンツの購買を促進する方法、プログラム及びアフィリエイトシステムを提供することを目的とする。
【課題を解決するための手段】
【０００６】
本発明者は、情報を音声として含んだコンテンツを利用して、コンテンツ購入端末に対して音声によって情報を受け渡すことで、コンテンツの購買を促進する方法を見出し、本発明を完成するに至った。本発明は、具体的には次のようなものを提供する。
【０００７】
（１）  コンテンツの再生が可能な端末のコンピュータによって、コンテンツの購買を促進する方法であって、
コンテンツを出力するプレーヤを識別するプレーヤ識別情報と前記コンテンツに関連するコンテンツ情報とを含んだ情報入りコンテンツの音声を受け付ける音声受付ステップと、
前記音声受付ステップにて受け付けた前記音声から、前記プレーヤ識別情報と前記コンテンツ情報とを分離して取得する分離取得ステップと、
前記分離取得ステップにて取得した前記コンテンツ情報を用いて対応するコンテンツに関する出力を行う出力ステップと、
前記出力ステップによる前記コンテンツに関する出力に基づき、前記端末のユーザによる前記コンテンツの購入依頼を受け付ける購入依頼受付ステップと、
前記購入依頼受付ステップにて前記購入依頼を受け付けたことに応じて、前記コンテンツのデータを取得するコンテンツ取得ステップと、
前記コンテンツ取得ステップにて前記コンテンツのデータを取得したことに応じて、前記分離取得ステップにて取得した前記プレーヤ識別情報で示される前記プレーヤのユーザに対して報酬を付与する報酬付与ステップと、
を含む方法。
【０００８】
本発明のこのような構成によれば、コンテンツの音声に情報を含むことで、そのコンテンツを記憶したコンテンツ端末では、その情報をコンテンツと共に音声として出力できる。そして、音声を集音する端末では、音声の情報を分離することで、コンテンツに含まれる情報を取得できる。よって、コンテンツ端末と、音声を集音する端末との間でネットワークを介した通信ではなく、音声により情報の伝送ができるので、通信のためのインフラを必要とせず、簡易に情報の伝達を行うことができる。そして、情報として、プレーヤを識別するプレーヤ識別情報を有することで、そのプレーヤ識別情報を用いてコンテンツ端末を特定することができる。よって、プレーヤ識別情報を用いた新たなコンテンツのアフィリエイト方法を提供できる。また、情報として、コンテンツに関連する情報を有することで、コンテンツを再生しつつ、そのコンテンツの内容をコンテンツを購入する端末に表示させて、そのユーザにコンテンツの内容を知らせることができる。
【０００９】
（２）  前記コンテンツのデータが格納されたサーバに前記コンテンツの購入依頼要求を送信する購入要求送信ステップを含み、
前記コンテンツ取得ステップは、前記サーバからダウンロードされた前記コンテンツのデータを取得する、
（１）に記載の方法。
【００１０】
本発明のこのような構成によれば、コンテンツのデータをサーバからダウンロードして取得するので、ダウンロードの依頼をした複数の端末に対して、同一のコンテンツを配信できる。また、コンテンツのデータをサーバに有するので、コンテンツのデータを一元管理できる。
【００１１】
（３）  前記コンテンツ情報は、前記サーバの宛先情報を含む、
（２）に記載の方法。
【００１２】
本発明のこのような構成によれば、サーバの宛先情報を指定するという簡易な方法で、コンテンツの格納されたサーバに対して通信を行うことができる。
【００１３】
（４）  コンピュータを、
コンテンツを出力するプレーヤを識別するプレーヤ識別情報と前記コンテンツに関連するコンテンツ情報とを含んだ情報入りコンテンツの音声を、マイクを介して受け付ける音声受付手段と、
前記音声受付手段によって受け付けた前記音声から、前記プレーヤ識別情報と前記コンテンツ情報とを分離して取得する分離取得手段と、
前記分離取得手段によって取得した前記コンテンツ情報を用いて対応するコンテンツに関する表示を表示部に行う表示制御手段と、
前記表示部の表示に対応して操作部から前記コンテンツの購入操作を受け付けて、前記コンテンツの購入依頼要求を送信する購入要求送信手段と、
前記購入依頼要求に基づく前記コンテンツのデータをダウンロードするコンテンツ取得手段と、
前記コンテンツ取得手段により前記コンテンツのデータがダウンロードされたことに応じて、報酬付与情報として前記プレーヤ識別情報を送信するプレーヤ識別情報送信手段と、
として機能させるためのプログラム。
【００１４】
（５）  アフィリエイト端末と、コンテンツ購入端末とがサーバに対してネットワークを介して接続されたアフィリエイトシステムにおいて、
前記アフィリエイト端末は、前記アフィリエイト端末のプレーヤを識別するプレーヤ識別情報とコンテンツに関連するコンテンツ情報とを含んだ情報入りコンテンツを前記プレーヤを用いて再生するコンテンツ再生手段を備え、
前記コンテンツ購入端末は、
前記コンテンツ再生手段により再生されることで出力された前記情報入りコンテンツの音声を集音するマイク手段と、
前記マイク手段により集音した前記音声から前記プレーヤ識別情報と前記コンテンツ情報とを分離して取得する分離取得手段と、
前記分離取得手段により取得した前記コンテンツ情報を用いて対応するコンテンツのデータを格納する前記サーバの宛先情報を表示する表示手段と、
前記表示手段により表示された前記宛先情報を、操作手段を介して指定することで、前記サーバとの間で通信を行い、前記コンテンツの購入依頼要求を送信する購入要求送信手段と、
前記サーバから前記購入依頼要求に基づく前記コンテンツのデータをダウンロードするコンテンツ取得手段と、
前記コンテンツ取得手段により前記コンテンツのデータがダウンロードされたことに応じて、前記コンテンツに対応する前記プレーヤ識別情報を前記サーバに送信するプレーヤ識別情報送信手段と、
を備え、
前記サーバは、
複数のコンテンツのデータを記憶するコンテンツ記憶手段と、
前記プレーヤ識別情報ごとに報酬額を対応付けて記憶するアフィリエイト記憶手段と、
前記コンテンツ購入端末から前記購入依頼要求を受信する購入要求受信手段と、
前記購入依頼要求に基づいて対応する前記コンテンツのデータを前記コンテンツ記憶手段から抽出して前記コンテンツ購入端末にダウンロードするコンテンツ配信手段と、
前記コンテンツ購入端末から前記プレーヤ識別情報を受信したことに応じて、前記アフィリエイト記憶手段の前記プレーヤ識別情報に対応する前記報酬額に課金することで、前記プレーヤ識別情報で示される前記プレーヤのユーザに対して報酬を付与する報酬付与手段と、
を備えること、
を特徴とするアフィリエイトシステム。
【発明の効果】
【００１５】
本発明によれば、プレーヤから出力される音声にプレーヤ識別情報とコンテンツ情報とを含むことで、集音した音声から情報を取得して、その情報を用いて所定のコンテンツを購入でき、及びアフィリエイトに必要なプレーヤを特定することができる。
【図面の簡単な説明】
【００１６】
【図１】本実施形態に係るアフィリエイトシステムの全体構成を示す図である。
【図２】本実施形態に係るアフィリエイトシステムの機能構成を示す図である。
【図３】本実施形態に係る楽曲サーバ及びアフィリエイトサーバのハードウェア構成を示す図である。
【図４】本実施形態に係る事前処理のフローチャートである。
【図５】本実施形態に係るメイン処理のフローチャートである。
【図６】本実施形態に係るアフィリエイト端末及び楽曲購入端末の表示例を示す図である。
【図７】本実施形態に係るアフィリエイト記憶部を示す図である。
【発明を実施するための形態】
【００１７】
以下、本発明を実施するための形態について図を参照しながら説明する。なお、これはあくまでも一例であって、本発明の技術的範囲はこれに限られるものではない。
【００１８】
（実施形態）
［アフィリエイトシステム１００の全体構成及び機能構成］
図１は、本実施形態に係るアフィリエイトシステム１００の全体構成を示す図である。図２は、本実施形態に係るアフィリエイトシステム１００の機能構成を示す図である。本実施形態は、楽曲（コンテンツ）をメディアプレーヤである音楽プレーヤで再生することで、音楽プレーヤを動作させるアフィリエイト端末４のスピーカ装置から出力された音声を、マイク装置のある楽曲購入端末５（コンテンツ購入端末）が集音する。そして、楽曲購入端末５が、集音した音声から楽曲に関連する情報（コンテンツ情報）を取得することで楽曲を購入可能にする情報を提供する。楽曲購入端末５が楽曲を購入した場合に、アフィリエイトシステム１００は、楽曲購入端末５が集音した音声に含む音楽プレーヤのユーザ（プレーヤ識別情報）に対して課金をする。
【００１９】
アフィリエイトシステム１００は、楽曲サーバ１と、アフィリエイトサーバ２と、通信ネットワーク３と、アフィリエイト端末４と、楽曲購入端末５（コンテンツ購入端末）とから構成される。楽曲サーバ１は、楽曲データ（コンテンツのデータ）を記憶するデータベースサーバである。アフィリエイトサーバ２は、あるユーザが楽曲を購入した場合に、その楽曲を宣伝した別のユーザに対して報酬を付与するサーバである。また、アフィリエイトサーバ２は、楽曲宣伝用の楽曲データを生成する。楽曲サーバ１と、アフィリエイトサーバ２とは、その特質から２つのサーバに分けて構成されているが、１つのサーバで構成してもよい。また、アフィリエイトサーバ２は、さらに機能ごとに複数のサーバに分けて構成してもよく、サーバのハードウェアの数に制限はない。通信ネットワーク３は、楽曲サーバ１と、アフィリエイトサーバ２と、アフィリエイト端末４と、楽曲購入端末５とを互いに接続する通信回線であり、例えば、ＴＣＰ／ＩＰの通信プロトコルを用いたインターネットである。通信ネットワーク３は、有線であっても無線でもよい。また、通信ネットワーク３は、装置同士を常時接続する必要はない。アフィリエイト端末４は、例えば、パソコン（パーソナルコンピュータ）である。楽曲購入端末５は、例えば、携帯電話機である。
【００２０】
楽曲サーバ１は、制御部１０と、楽曲ＤＢ（データベース）１３と、通信インタフェース部１９とを備える。制御部１０は、購入要求受信手段１１と、楽曲配信手段１２とを備える。購入要求受信手段１１は、楽曲データの購入依頼要求を楽曲購入端末５から受信する制御部である。楽曲配信手段１２は、楽曲ＤＢ１３から楽曲データを抽出して楽曲購入端末５にダウンロードする制御部である。楽曲ＤＢ１３は、複数の楽曲データを記憶するデータベースである。通信インタフェース部１９は、通信ネットワーク３に対して通信するための装置である。
【００２１】
アフィリエイトサーバ２は、制御部２０と、アフィリエイト記憶部２２と、通信インタフェース部２９とを備える。制御部２０は、報酬付与手段２１を備える。報酬付与手段２１は、アフィリエイト課金を行う制御部である。アフィリエイト課金とは、楽曲を購入するきっかけになったその楽曲を宣伝したユーザに対して課金をすることで、楽曲を宣伝したユーザに報酬を付与することをいう。報酬は、例えば、金銭や、物品を購入できるポイント等である。アフィリエイト記憶部２２は、報酬と、音楽プレーヤのユーザ（プレーヤ識別情報）とを対応付けたテーブルを記憶する。通信インタフェース部２９は、通信ネットワーク３に対して通信するための装置である。
【００２２】
なお、本発明でいうコンピュータとは、記憶装置、制御部等を備えた情報処理装置をいう。楽曲サーバ１は、制御部１０と、記憶装置である楽曲ＤＢ１３とを備えた情報処理装置により構成された情報処理装置であり、この情報処理装置は、本発明のコンピュータの概念に含まれる。また、アフィリエイトサーバ２は、制御部２０と、記憶装置であるアフィリエイト記憶部２２を備えた情報処理装置により構成され、本発明のコンピュータの概念に含まれる。
【００２３】
アフィリエイト端末４は、制御部４０と、記憶部４２と、スピーカ４６と、モニタ４７と、キーボード４８と、通信インタフェース部４９とを備える。制御部４０は、楽曲再生手段４１（コンテンツ再生手段）を備える。楽曲再生手段４１は、楽曲を再生する音楽プレーヤを制御する制御部である。記憶部４２は、プレーヤＩＤ記憶領域４３とプログラム記憶領域４４とを備える。プレーヤＩＤ記憶領域４３は、音楽プレーヤを一意に特定するプレーヤＩＤを記憶する領域である。プログラム記憶領域４４は、アフィリエイト端末４で実行するプログラムを記憶する領域であり、例えば、楽曲データを再生するアプリケーションソフトウェアである音楽プレーヤのプログラムを記憶する。スピーカ４６は、楽曲を出力する装置である。モニタ４７は、音楽プレーヤを表示するブラウン管表示装置（ＣＲＴ）、液晶表示装置（ＬＣＤ）等のディスプレイ装置である。キーボード４８は、アフィリエイト端末４のユーザによる入力を受け付けるものである。なお、アフィリエイト端末４のユーザは、楽曲を宣伝する者である。通信インタフェース部４９は、通信ネットワーク３に対して通信するための装置である。
【００２４】
楽曲購入端末５は、制御部５０と、記憶部６０と、マイク７５と、スピーカ７６と、モニタ７７（表示部）と、操作ボタン７８（操作部）と、通信インタフェース部７９とを備える。制御部５０は、音声受付手段５１と、分離取得手段５２と、表示制御手段５３と、購入依頼受付手段５４と、購入要求送信手段５５と、楽曲受信手段５６（コンテンツ取得手段）と、プレーヤＩＤ送信手段５７（プレーヤ識別情報送信手段）とを備える。記憶部６０は、プログラム記憶領域６１と、楽曲データ記憶領域６２と、一時記憶領域６３とを備える。各機能の詳細は、後述する。
【００２５】
マイク７５は、音声を集音する装置である。スピーカ７６は、楽曲等の音声を出力する装置である。モニタ７７は、楽曲に関する情報である楽曲情報や楽曲サーバ１の宛先情報であるＵＲＬ（Ｕｎｉｆｏｒｍ  Ｒｅｓｏｕｒｃｅ  Ｌｏｃａｔｏｒ）等を表示するディスプレイ装置である。操作ボタン７８は、楽曲購入端末５のユーザによる入力を受け付けるボタンである。なお、楽曲購入端末５のユーザは、楽曲を購入する者である。通信インタフェース部７９は、通信ネットワーク３に対して通信するための装置である。
【００２６】
［楽曲サーバ１及びアフィリエイトサーバ２のハードウェア構成図］
図３は、本実施形態に係る楽曲サーバ１及びアフィリエイトサーバ２のハードウェア構成を示す図である。本発明が実施される処理装置は、標準的なものでよく、以下に、構成の一例を示す。
【００２７】
楽曲サーバ１及びアフィリエイトサーバ２は、楽曲サーバ１の制御部１０及びアフィリエイトサーバ２の制御部２０を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ（Ｉ／Ｆ：インタフェース）１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、表示装置１０２２、Ｉ／Ｏコントローラ１０７０、キーボード及びマウス等の入力装置１１００、ハードディスク１０７４、光ディスクドライブ１０７６、並びに半導体メモリ１０７８を備える。なお、ハードディスク１０７４、光ディスクドライブ１０７６、並びに半導体メモリ１０７８は、まとめて記憶装置と呼ぶ。
【００２８】
ＣＰＵ１０１０は、楽曲サーバ１及びアフィリエイトサーバ２を統括的に制御する部分であり、ハードディスク１０７４に記憶された各種プログラムを適宜読み出して実行することにより、上述したハードウェアと協働し、本発明に係る各種機能を実現している。
【００２９】
通信Ｉ／Ｆ１０４０は、楽曲サーバ１及びアフィリエイトサーバ２が、通信ネットワーク３を介して他の装置と情報を送受信する場合のネットワークアダプタであり、楽曲サーバ１の通信インタフェース部１９及びアフィリエイトサーバ２の通信インタフェース部２９に相当する。通信Ｉ／Ｆ１０４０は、モデム、ケーブルモデム及びイーサネット（登録商標）アダプタを含んでよい。
【００３０】
ＢＩＯＳ１０６０は、楽曲サーバ１及びアフィリエイトサーバ２の起動時にＣＰＵ１０１０が実行するブートプログラムや、楽曲サーバ１及びアフィリエイトサーバ２のハードウェアに依存するプログラム等を記録する。
【００３１】
表示装置１０２２は、ブラウン管表示装置（ＣＲＴ）、液晶表示装置（ＬＣＤ）等のディスプレイ装置を含む。
【００３２】
Ｉ／Ｏコントローラ１０７０には、ハードディスク１０７４、光ディスクドライブ１０７６、及び半導体メモリ１０７８等の記憶装置を接続することができる。
【００３３】
入力装置１１００は、楽曲サーバ１及びアフィリエイトサーバ２の管理者による入力の受け付けを行うものである。
【００３４】
ハードディスク１０７４は、本ハードウェアを楽曲サーバ１及びアフィリエイトサーバ２として機能させるための各種プログラム、本発明の機能を実行するプログラム等を記憶する。なお、楽曲サーバ１及びアフィリエイトサーバ２は、外部に別途設けたハードディスク（図示せず）を外部記憶装置として利用することもできる。
【００３５】
光ディスクドライブ１０７６としては、例えば、ＤＶＤ−ＲＯＭドライブ、ＣＤ−ＲＯＭドライブ、ＤＶＤ−ＲＡＭドライブ、ＢＤ（Ｂｌｕ−ｒａｙ（登録商標）  Ｄｉｓｃ）ドライブを使用することができる。この場合は各ドライブに対応した光ディスク１０７７を使用する。光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。
【００３６】
［アフィリエイト端末４及び楽曲購入端末５のハードウェア構成］
アフィリエイト端末４及び楽曲購入端末５も、上述の楽曲サーバ１及びアフィリエイトサーバ２と同様な構成を持つ。楽曲購入端末５において、例えば、記憶装置は、光ディスクドライブ１０７６に代えて外部メモリを挿入可能なドライブであってもよい。また、入力装置１１００は、キーボード及びマウスに代えて操作ボタン７８であってもよい。
【００３７】
［フローチャート１］
次に、本実施形態を実現するための事前の処理について説明する。図４は、本実施形態に係る事前処理のフローチャートである。
【００３８】
Ｓ１：アフィリエイト端末４の制御部４０は、アフィリエイトの登録要求をアフィリエイトサーバ２に対して行う。アフィリエイトの登録要求とは、アフィリエイト端末４が、アフィリエイトサーバ２に対してアフィリエイトの登録を依頼することをいう。この要求によって、アフィリエイトサーバ２は、アフィリエイトの対象になるアフィリエイト用の楽曲データを、アフィリエイト端末４で再生できるようにする。アフィリエイト端末４の制御部４０は、アフィリエイト端末４に予めインストールされている音楽プレーヤを特定する記号であるプレーヤＩＤと、アフィリエイトの対象になる楽曲を指定する情報として、例えば、楽曲名及びアーティスト名と、アフィリエイト端末４のユーザを特定するユーザＩＤとを、アフィリエイトサーバ２に送信する。
【００３９】
Ｓ２：アフィリエイトサーバ２の制御部２０は、アフィリエイト端末４からアフィリエイトの登録要求を受信する。そして、制御部２０は、アフィリエイト用の楽曲データを生成する。アフィリエイト用の楽曲データは、楽曲サーバ１の楽曲ＤＢ１３に記憶された楽曲データを使用して生成される。
【００４０】
楽曲ＤＢ１３は、楽曲情報と、楽曲データとを対応付けて記憶したデータベースである。楽曲情報には、楽曲に関連する情報であり、例えば、楽曲名、楽曲が収録されたアルバムのアルバム名、楽曲のアーティスト名、その楽曲が購入できるＷｅｂページの場所を示す購入先のＵＲＬ等が格納される。購入先のＵＲＬは、この楽曲ＤＢ１３に記憶された楽曲データを購入できるＷｅｂサーバの宛先情報であって、例えば、楽曲サーバ１にＷｅｂサーバの機能を持たせることで実現できる。楽曲データには、音楽プレーヤで再生して出力可能な形式の楽曲データが格納される。
【００４１】
具体的には、アフィリエイトサーバ２の制御部２０は、アフィリエイト端末４から要求のあった楽曲の楽曲データを楽曲サーバ１から取得する。そして、制御部２０は、音楽プレーヤで再生して出力可能な形式の楽曲データであって、情報が付加された楽曲データであるアフィリエイト用の楽曲データを生成する。付加する情報とは、ここではアフィリエイト端末４のプレーヤＩＤと、楽曲名及びアーティスト名と、楽曲サーバ１のＵＲＬとをいう。制御部２０は、いわゆるサウンドコードと呼ばれる、上述のような付加する情報を音声に符号化した音声データを生成する。サウンドコードの生成は、楽曲の音声とは重ならない、例えば、音階の各音の隙間に位置する周波数に、楽曲以外の付加する情報を符号化することで行われる。そして、制御部２０は、生成したサウンドコードと楽曲データとを合成したアフィリエイト用の楽曲データを生成する。このように、制御部２０は、楽曲データに、アフィリエイトをするのに必要な情報を含んだサウンドコードを合成することで、アフィリエイト用の楽曲データを生成できる。
【００４２】
Ｓ３：アフィリエイトサーバ２の制御部２０は、生成したアフィリエイト用の楽曲データをアフィリエイト端末４に対して送信する。
【００４３】
Ｓ４：アフィリエイトサーバ２の制御部２０は、ユーザＩＤとプレーヤＩＤとをアフィリエイト記憶部２２に記憶する。
【００４４】
なお、アフィリエイト用の楽曲データのアフィリエイト端末４への送信方法は、どのような方法であってもよい。例えば、上述の例のように、アフィリエイトサーバ２の制御部２０は、アフィリエイト用の楽曲データを一括でダウンロードしてもよいし、アフィリエイト端末４からの再生要求の都度、アフィリエイト用の楽曲データをストリーミング形式で送信して、アフィリエイト端末４で再生してもよい。また、アフィリエイト用の楽曲データは、フルの長さ分の楽曲データを使用してもよいし、試用データとして例えば前半３０秒の楽曲データとサウンドコードとを合成して生成されたものでもよい。
【００４５】
［フローチャート２］
図５は、本実施形態に係るメイン処理のフローチャートである。図６は、本実施形態に係るアフィリエイト端末４及び楽曲購入端末５の表示例を示す図である。図７は、本実施形態に係るアフィリエイト記憶部２２を示す図である。
【００４６】
図５のＳ１１：アフィリエイト端末４の制御部４０（楽曲再生手段４１）は、キーボード４８の操作により音楽プレーヤを起動して、アフィリエイト用の楽曲を再生する。制御部４０は、アフィリエイト端末４のスピーカ４６に、楽曲の音声を出力させる。制御部４０は、音楽プレーヤの起動が停止されたり、楽曲データが終端（ＥＯＦ）にまで到達して楽曲の再生が終了した場合等を除き、楽曲を再生し続ける。
【００４７】
図６（１）は、音楽プレーヤ８０を使用してアフィリエイト用の楽曲を再生するアフィリエイト端末４のモニタ４７を示す。音楽プレーヤ８０は、プレーヤＩＤ８１と、ユーザＩＤ８２と、選択表示部８３と、ステータス部８４とを有する。図６（１）の例では、音楽プレーヤ８０は、プレーヤＩＤ８１が「０５５」の音楽プレーヤであって、ユーザＩＤ８２が「ＴＯＭ」のユーザが使用していることを示す。また、音楽プレーヤ８０は、選択表示部８３に示す曲名が「さくら」で、アーティスト名が「☆田○男」の楽曲が選択されていることを示す。さらに、音楽プレーヤ８０は、ステータス部８４により、選択表示部８３で選択された楽曲が再生中であることを示す。
【００４８】
図５に戻って、Ｓ１２：楽曲購入端末５の制御部５０は、記憶部６０のプログラム記憶領域６１に記憶され、以下で説明する処理を実行するプログラムを起動する。そして、制御部５０（音声受付手段５１）は、アフィリエイト端末４から出力された楽曲の音声を、マイク７５を介して集音して受け付ける。
【００４９】
Ｓ１３：制御部５０（分離取得手段５２）は、集音した音声からサウンドコードを分離して、サウンドコードに含まれるアフィリエイト端末４のプレーヤＩＤと、楽曲情報である楽曲名、アーティスト名及び楽曲サーバ１のＵＲＬとを取得する。
【００５０】
このように、アフィリエイト端末４から出力された音声にはサウンドコードを含むので、楽曲購入端末５は、マイク７５からサウンドコードを含む音声を集音して、サウンドコードを分離してプレーヤＩＤと楽曲情報とを取得でき、音声による、アフィリエイト端末４と楽曲購入端末５との間での情報の伝送ができる。
【００５１】
Ｓ１４：制御部５０（表示制御手段５３）は、取得した楽曲名及びアーティスト名と、楽曲サーバ１のＵＲＬとを、予めプログラム記憶領域６１に記憶されたプログラムが有するテンプレートに嵌め込んで、楽曲情報をモニタ７７に表示させる。
【００５２】
図６（２）（ａ）は、テンプレート８６の例を示す。テンプレート８６は、複数の入力部８７〜８９を有する。そして、上述の図５のＳ１４により、楽曲購入端末５の制御部５０は、図６（２）（ｂ）に示すように、テンプレート８６の入力部８７〜８９に該当の楽曲情報を嵌め込んだ楽曲情報表示部９０を、モニタ７７に表示する。そして、入力部８９に嵌め込まれた楽曲サーバ１のＵＲＬ９１に対応する操作ボタン７８（図１参照）が、ユーザにより操作されてＵＲＬ９１が選択されることで、制御部５０は、通信ネットワーク３を介して楽曲サーバ１との間で通信を行うことができる。そして、楽曲購入端末５のユーザは、楽曲購入用のＷｅｂページから楽曲を購入できるようになる。
【００５３】
このように、楽曲情報表示部９０をモニタ７７に表示させるので、楽曲購入端末５のユーザは、楽曲を聴きながら楽曲情報表示部９０の表示によりコンテンツの内容を知ることができる。また、楽曲情報表示部９０は、楽曲サーバ１のＵＲＬ９１を有するので、ユーザは、ＵＲＬ９１を選択するという簡易な方法で、楽曲の格納された楽曲サーバ１に対して通信を行うことができる。
【００５４】
図５に戻って、Ｓ１５：制御部５０（購入依頼受付手段５４）は、楽曲の購入依頼に対する選択を受け付けたか否かを判断する。楽曲の購入依頼を受け付けた場合（Ｓ１５：ＹＥＳ）には、制御部５０（購入要求送信手段５５）は、購入依頼要求を楽曲サーバ１に対して送信する。他方、楽曲の購入依頼を受け付けない場合（Ｓ１５：ＮＯ）には、制御部５０は、本処理を終了する。
【００５５】
Ｓ１６：楽曲サーバ１の制御部１０（購入要求受信手段１１）は、楽曲購入端末５から購入依頼要求を受信する。
【００５６】
Ｓ１７：制御部１０（楽曲配信手段１２）は、購入依頼要求に対応する楽曲データを、楽曲ＤＢ１３から抽出する。
【００５７】
Ｓ１８：制御部１０（楽曲配信手段１２）は、抽出した楽曲データを、楽曲購入端末５に配信（ダウンロード）する。
【００５８】
Ｓ１９：楽曲購入端末５の制御部５０（楽曲受信手段５６）は、楽曲サーバ１から楽曲データを受信して取得する。よって、楽曲購入端末５は、楽曲データを取得することができる。なお、この例では、１台の楽曲購入端末５の処理について説明したが、アフィリエイト端末４の音声を集音する楽曲購入端末５を複数用意した場合には、複数の楽曲購入端末５に対して同一のコンテンツを配信できる。
【００５９】
Ｓ２０：制御部５０（プレーヤＩＤ送信手段５７）は、アフィリエイトサーバ２にプレーヤＩＤを送信する。
【００６０】
Ｓ２１：アフィリエイトサーバ２の制御部２０は、楽曲購入端末５からプレーヤＩＤを受信する。そして、制御部２０（報酬付与手段２１）は、アフィリエイト記憶部２２に記憶された該当のプレーヤＩＤに対応する報酬に、所定の金額を加算する。
【００６１】
アフィリエイト記憶部２２は、図７に示すように、ユーザＩＤ２２ａと、プレーヤＩＤ２２ｂと、報酬２２ｃとを対応付けたテーブルを記憶する。報酬２２ｃは、課金条件に合致した際に、例えば、アフィリエイトとして予め決められた金額が加算される。図７の例では、プレーヤＩＤ２２ｂが「０５５」の報酬２２ｃは、図７（１）の「１０」から図７（２）では「２０」に変更されている（図中（Ａ）参照）。これは、プレーヤＩＤが「０５５」の音楽プレーヤ８０から出力された音声を楽曲購入端末５のマイク７５で集音することで、楽曲購入端末５は、楽曲情報表示部９０をモニタ７７に表示し、楽曲購入端末５のユーザが、楽曲情報表示部９０のＵＲＬ９１を指定して楽曲データを購入したことによって、プレーヤＩＤが「０５５」のユーザの報酬が増加したことを示している。
【００６２】
このように、サウンドコードにプレーヤＩＤを有することで、楽曲購入端末５は、アフィリエイト端末４の音楽プレーヤ８０を特定することができる。そして、楽曲購入端末５は、アフィリエイトサーバ２に対してプレーヤＩＤを送信することで、アフィリエイトサーバ２は、該当のプレーヤＩＤのユーザに報酬を付与することができる。
【００６３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【００６４】
（変形形態）
本実施形態では、楽曲を再生する例を示したが、コンテンツは楽曲に限定されず、映画等の動画コンテンツの再生であってもよい。
【符号の説明】
【００６５】
１    楽曲サーバ
２    アフィリエイトサーバ
３    通信ネットワーク
４    アフィリエイト端末
５    楽曲購入端末
１０，２０，４０，５０  制御部
１１  購入要求受信手段
１２  楽曲配信手段
１３  楽曲ＤＢ
２１  報酬付与手段
２２  アフィリエイト記憶部
４１  楽曲再生手段
４２，６０  記憶部
４３  プレーヤＩＤ記憶領域
４６，７６  スピーカ
５１  音声受付手段
５２  分離取得手段
５３  表示制御手段
５４  購入依頼受付手段
５５  購入要求送信手段
５６  楽曲受信手段
５７  プレーヤＩＤ送信手段
７５  マイク
８０  音楽プレーヤ
８１  プレーヤＩＤ
１００  アフィリエイトシステム
【図１】
2010250490.tif 000003
【図２】
2010250490.tif 000004
【図３】
2010250490.tif 000005
【図４】
2010250490.tif 000006
【図５】
2010250490.tif 000007
【図６】
2010250490.tif 000008
【図７】
2010250490.tif 000009